(57)【要約】【課題】インターホン装置の居室親機における作業負担を軽減する。【解決手段】インターホン装置１のカメラ付き玄関子機１０では、カメラ１０１の撮像した画像データを居室親機２０のモニタ２０４に表示するための第１画像サイズ、およびワイヤレス端末３０での表示等他の用途で使用するための第２画像サイズに変更し、第２画像サイズを所定のデータサイズ以下となるように可変スケーリングするようになっている。このインターホン装置１によれば、複数の画像サイズの圧縮画像データをカメラ付き玄関子機１０で生成するようになっているので、圧縮画像データを再度加工するために必要なバッファやエンコーダなどの回路を居室親機２０に搭載する必要がなくなり、居室親機２０の負担を軽減することができる。【選択図】図１
2010154248.tif 000002
【特許請求の範囲】
【請求項１】
来訪者を撮像するためのカメラおよび居住者を呼び出す機能を備えたカメラ付き玄関子機と、前記カメラの撮像映像を表示するモニタおよび前記カメラ付き玄関子機からの呼び出しに応答する機能を備えた居室親機とを有するインターホン装置において、
前記カメラ付き玄関子機は、前記カメラが撮像した画像データを前記居室親機のモニタに表示するための所定の画像サイズである第１画像サイズ、および前記第１画像サイズと異なりワイヤレス端末での表示等他の用途で使用するための少なくとも一つ以上の第Ｎ画像サイズ（Ｎは、２以上の整数）に変更する画像サイズ変更部と、
前記画像サイズ変更部により変更された前記第１画像サイズのデータおよび前記第Ｎ画像サイズのデータを圧縮するデータ圧縮部と、
前記第１画像サイズのデータおよび前記第Ｎ画像サイズのデータを所定の順序で整列させて前記居室親機に伝送する画像データ送信部と、
前記データ圧縮部により圧縮された前記第Ｎ画像サイズのデータのデータサイズが所定のデータサイズ以下となっているかを判定するデータサイズ判定部と、
前記データサイズ判定部の判定に応じて、前記第Ｎ画像サイズのデータについての前記データ圧縮部における圧縮率を変更する圧縮率制御部とを有することを特徴とする、インターホン装置。
【請求項２】
前記画像データ送信部は、前記第Ｎ画像サイズのデータを少なくとも二分割して送信することを特徴とする、請求項１記載のインターホン装置。
【請求項３】
前記画像データ送信部は、前記カメラが出力する垂直同期信号毎に、前記第１画像サイズのデータおよび前記第Ｎ画像サイズのデータを所定の順序で伝送することを特徴とする、請求項１または２記載のインターホン装置。
【発明の詳細な説明】
【技術分野】
【０００１】
本発明は、カメラ付き玄関子機と居室親機とを含むインターホン装置に関する。
【背景技術】
【０００２】
従来、図４に示すような構成のインターホン装置６１が知られている。このインターホン装置６１は、カメラ付き玄関子機７０と、このカメラ付き玄関子機７０から伝送されたビデオ信号を受信し、受信したビデオ信号をモニタに映すことができる居室親機８０とを含んでいる。
カメラ付き玄関子機７０は居住者を呼び出すために用いられ、主に住戸の玄関に設置される。居室親機８０はカメラ付き玄関子機７０からの呼び出しに応答するために用いられ、その住戸内に設置される。このカメラ付き玄関子機７０と居室親機８０とは伝送線路１００を介して接続される。また、居室親機８０はさらに、カメラ付き玄関子機７０からの画像が居室親機８０から無線伝送して表示されるワイヤレス端末９０と接続される。このワイヤレス端末９０は、居住者が携帯可能でカメラ付き玄関子機７０からの呼び出しに応答することが可能となっている。
【０００３】
【特許文献１】特開２００４−２６０３９０号公報
【特許文献２】特開２００１−１２８１５７号公報
【０００４】
このインターホン装置６１のカメラ付き玄関子機７０は、来訪者を撮像するカメラ７０１と、このカメラ７０１から出力されるデジタルビデオ信号を圧縮するＪＰＥＧエンコーダ７０２と、このＪＰＥＧエンコーダ７０２により圧縮されたＪＰＥＧデータを居室親機８０に伝送するための伝送部７０３とを備える。
【０００５】
このインターホン装置６１の居室親機８０は、カメラ付き玄関子機７０の伝送部７０３から送信されたＪＰＥＧデータを受信するための伝送部８０１と、受信したＪＰＥＧデータを伸張するＪＰＥＧデコーダ８０２と、このＪＰＥＧデコーダ８０２により伸張されたデジタルビデオ信号の画像を表示するモニタ８０３と、ＪＰＥＧデコーダ８０２により伸張されたデジタルビデオ信号を圧縮するＪＰＥＧエンコーダ８０４と、このＪＰＥＧエンコーダ８０４により圧縮されたＪＰＥＧデータをワイヤレス端末９０に無線伝送するためのワイヤレスモジュール８０５とを備える。
【０００６】
ワイヤレス端末９０は、居室親機８０から無線伝送されたＪＰＥＧデータを受信するワイヤレスモジュール９０１と、ワイヤレスモジュール９０１により受信したＪＰＥＧデータを伸張するＪＰＥＧデコーダ９０２と、このＪＰＥＧデコーダ９０２によりデコードされたデジタルビデオ信号を表示するモニタ９０３とを備えている。
【０００７】
以上のようなインターホン装置６１において、カメラ付き玄関子機７０のカメラ７０１により撮像され生成されたデジタルビデオ信号は、ＪＰＥＧエンコーダ７０２により圧縮され、圧縮画像データ、すなわちＪＰＥＧデータとなり、カメラ付き玄関子機７０の伝送部７０３から伝送線路１００を介して居室親機８０の伝送部８０１に送信される。
居室親機８０に送信されたＪＰＥＧデータは、伝送部８０１からＪＰＥＧデコーダ８０２に入力され、デジタルビデオ信号に伸張される。このデジタルビデオ信号の画像は、モニタ８０３に入力され、表示される。
また、伸張されたデジタルビデオ信号は、ＪＰＥＧエンコーダ８０４によりＪＰＥＧデータに圧縮され、ワイヤレスモジュール８０５からワイヤレス端末９０に無線伝送される。
居室親機８０のワイヤレスモジュール８０５からワイヤレス端末９０のワイヤレスモジュール９０１に無線伝送されたＪＰＥＧデータは、ＪＰＥＧデコーダ９０２により伸張され、伸張された画像データはモニタ９０３に入力され、表示される。
【０００８】
このような構成のインターホン装置６１では、居室親機８０において、モニタ８０３に表示する画像データと、ワイヤレス端末９０に伝送するための伝送用の画像データや録画用の画像データ等の他の画像データとを同時に生成する場合、一旦圧縮画像データ（ＪＰＥＧデータ）を伸張した後、居室親機８０のモニタ８０３の表示サイズやワイヤレス端末９０のモニタ９０３の表示サイズ等、それぞれ用途に合わせた画像サイズに変換してから、ワイヤレス端末９０に画像データを無線伝送するために伝送用の画像データを圧縮するという作業を実行する必要がある。このため、この作業を行うためのハードウェアまたはソフトウェアが必要となっていた。また、一度圧縮により劣化した画像を再度圧縮するという作業をすることとなるため、画質劣化が大きいものとなっていた。
【発明の開示】
【発明が解決しようとする課題】
【０００９】
本発明は、画像サイズ変換を行ってから伝送用の画像データを圧縮する、というインターホン装置の居室親機における作業負担を軽減し、また、画像データの画質劣化を低減することを課題とするものである。
【課題を解決するための手段】
【００１０】
かかる課題を解決するため、本願発明者は、以下のようなインターホン装置を提案する。
【００１１】
本願のインターホン装置は、来訪者を撮像するためのカメラおよび居住者を呼び出す機能を備えたカメラ付き玄関子機と、前記カメラの撮像映像を表示するモニタおよび前記カメラ付き玄関子機からの呼び出しに応答する機能を備えた居室親機とを有するインターホン装置である。
このインターホン装置のカメラ付き玄関子機は、前記カメラが撮像した画像データを前記居室親機のモニタに表示するための所定の画像サイズである第１画像サイズ、および前記第１画像サイズと異なりワイヤレス端末での表示等他の用途で使用するための少なくとも一つ以上の第Ｎ画像サイズ（Ｎは、２以上の整数）に変更する画像サイズ変更部と、前記画像サイズ変更部により変更された前記第１画像サイズのデータおよび前記第Ｎ画像サイズのデータを圧縮するデータ圧縮部と、前記第１画像サイズのデータおよび前記第Ｎ画像サイズのデータを所定の順序で整列させて前記居室親機に伝送する画像データ送信部と、前記データ圧縮部により圧縮された前記第Ｎ画像サイズのデータのデータサイズが所定のデータサイズ以下となっているかを判定するデータサイズ判定部と、前記データサイズ判定部の判定に応じて、前記第Ｎ画像サイズのデータについての前記データ圧縮部における圧縮率を変更する圧縮率制御部とを有することを特徴とする。
このインターホン装置では、複数の画像サイズの圧縮画像データをカメラ付き玄関子機で生成するようになっているので、圧縮画像データを再度加工するために必要なバッファやエンコーダなどの回路を居室親機に搭載する必要がなくなり、居室親機の負担を軽減することができる。
また、このインターホン装置は、第Ｎ画像サイズのデータについてのデータ圧縮部における圧縮率を変更する圧縮率制御部、およびデータ圧縮部により圧縮された第Ｎ画像サイズのデータのデータサイズが所定のデータサイズ以下となっているかを判定するデータサイズ判定部を有しているので、第Ｎ画像サイズのデータサイズを所定のデータサイズ以下にして居室親機に送信することができるため、第Ｎ画像サイズのデータが例えばワイヤレス端末に伝送するための伝送用データである場合、所定のデータサイズをワイヤレス端末に送信可能な最大値に設定しておけば、居室親機において伝送用データを生成すべく再度データ圧縮する必要がなくなるし、ワイヤレス端末において表示される画質の劣化を最小限に抑えることができる。また、第Ｎ画像データを居室親機における録画用データとして使用すれば、メモリ容量を有効に利用できる。
また、居室親機のモニタに、従来と同様にカメラ撮像映像を動画として表示させることができる。
【００１２】
このインターホン装置の画像サイズ変更部は、第１画像サイズ、および少なくとも一つ以上の第Ｎ画像サイズに変更するようになっていればよい。すなわち、画像サイズ変更部は、二つ以上の画像サイズに変更するようになっていればよく、使用する用途の種類に応じた数の画像サイズに変更するようにすることができる。
【００１３】
前記画像データ送信部は、前記第Ｎ画像サイズのデータを少なくとも二分割して送信するものであってもよい。
第Ｎ画像サイズのデータを少なくとも二分割して送信するようにすれば、第Ｎ画像サイズのデータは、第１画像サイズのデータよりも１画像あたりのデータ量を大きなデータ量とすることができ、精細な画像を居室親機に送信することができる。
【００１４】
前記画像データ送信部は、前記カメラが出力する垂直同期信号毎に、前記第１画像サイズのデータおよび前記第Ｎ画像サイズのデータを所定の順序で伝送するようにすることができる。
例えば、画像サイズ変更部により２つの画像サイズのデータに変更された場合は、第１画像サイズのデータと第２画像サイズのデータを交互に伝送するようにすることができる。また、画像サイズ変更部により３つの画像サイズのデータに変更された場合は、第１画像サイズのデータ、第２画像サイズのデータ、第３画像サイズのデータ、第１画像サイズのデータ・・というように繰り返し伝送するようにすることができる。
この画像データ送信部はまた、画像サイズ変更部により２つの画像サイズのデータに変更された場合であって、画像データ送信部が第２画像サイズのデータを二分割して送信するようになっている場合には、例えば、第１画像サイズのデータ、第２画像サイズのデータを二分割した一方のデータ、第１画像サイズのデータ、第２画像サイズのデータを二分割した他方のデータ、第１画像サイズのデータ、・・というように繰り返し伝送するようにすることができる。
【発明の効果】
【００１５】
本発明によれば、画像サイズ変換を行ってから伝送用の画像データを圧縮する、というインターホン装置の居室親機における作業負担を軽減し、また、画像データの画質劣化を低減することができる。
【発明を実施するための最良の形態】
【００１６】
以下、本発明の好ましい一実施形態を、図面を参照しながら詳細に説明する。
【００１７】
この実施形態によるインターホン装置１は、概略で図１に示したように構成される。インターホン装置１は、カメラ付き玄関子機１０と、このカメラ付き玄関子機１０から伝送されたビデオ信号を受信し、受信したビデオ信号をモニタに映すことができる居室親機２０と、カメラ付き玄関子機１０からの画像が居室親機２０から無線伝送して表示されるワイヤレス端末３０とを含んでいる。
カメラ付き玄関子機１０は、居住者を呼び出すために用いられ、主に住戸の玄関に設置される。居室親機２０は、カメラ付き玄関子機１０からの呼び出しに応答するために用いられ、その住戸内に設置される。このカメラ付き玄関子機１０と居室親機２０とは伝送線路４０を介して接続される。ワイヤレス端末３０は、居住者が携帯可能でカメラ付き玄関子機１０からの呼び出しに応答することが可能となっており、住戸内の適当な場所で、適宜使用される。
【００１８】
以下、カメラ付き玄関子機１０、居室親機２０、およびワイヤレス端末３０の構成について説明する。まず、カメラ付き玄関子機１０の構成を説明する。
【００１９】
カメラ付き玄関子機１０は、来訪者を撮像するカメラ１０１と、プリスケーラ１０２と、ＪＰＥＧエンコーダ１０３と、量子化テーブル１０４と、スケーラ１０５と、タイミング生成部１０６と、ヘッダ付与部１０７と、マルチプレクサ１０８と、データサイズ判定部１０９と、バッファ１１０と、伝送部１１１とを備える。
【００２０】
カメラ１０１は、来訪者を撮像するものである。
プリスケーラ１０２は、カメラ１０１から出力されるデジタルビデオ信号を所定の画像サイズにスケーリングするものである。本実施形態のプリスケーラ１０２には第１スケール値と第２スケール値の二つのスケール値が設定されており、第１スケール値により第１画像サイズにスケーリングされ、第２スケール値により第２画像サイズにスケーリングされるようになっている。第１画像サイズは、本実施形態では居室親機２０におけるモニタの画像サイズに相当し、ＱＶＧＡである。第２画像サイズは、本実施形態ではワイヤレス端末３０のモニタの画像サイズに相当し、ＶＧＡである。
【００２１】
ＪＰＥＧエンコーダ１０３は、プリスケーラ１０２から出力されるデジタルビデオ信号を圧縮し、圧縮画像データ、すなわちＪＰＥＧデータにエンコードするものである。
量子化テーブル１０４は、ＪＰＥＧエンコーダ１０３の圧縮率を設定するものである。
スケーラ１０５は、量子化テーブル１０４の係数を変更するものである。本実施形態では、ＪＰＥＧエンコーダ１０３による圧縮は、第１画像サイズのデジタルビデオ信号は固定の第１画面用スケール値で、第２画像サイズのデジタルビデオ信号は可変の第２画面用スケール値で行われるようになっている。
タイミング生成部１０６は、プリスケーラ１０２のスケール値を切り替えるタイミング、ＪＰＥＧエンコーダ１０３により生成されるＪＰＥＧデータの圧縮率を切り替えるタイミング、およびマルチプレクサ１０８によるＪＰＥＧデータの出力先を切り替えるタイミングとなるタイミング信号を出力するものである。
【００２２】
ヘッダ付与部１０７は、ＪＰＥＧエンコーダ１０３から出力されるＪＰＥＧデータに、画像サイズ、量子化条件などの付加情報を付与するものである。
マルチプレクサ１０８は、タイミング生成部１０６からのタイミング信号に基づき、ヘッダ付与部１０７から出力されるヘッダ情報付きＪＰＥＧデータの出力先を切り替えるものであり、本実施形態では、第１の出力先となる伝送部１１１に第１画像サイズのヘッダ情報付きＪＰＥＧデータを出力し、第２の出力先となるデータサイズ判定部１０９に第２画像サイズのヘッダ情報付きＪＰＥＧデータを出力するように、ヘッダ情報付きＪＰＥＧデータの出力先を交互に切り替えるようになっている。
【００２３】
データサイズ判定部１０９は、マルチプレクサ１０８から入力された第２画像サイズのヘッダ情報付きＪＰＥＧデータのデータサイズが、予めデータサイズ判定部１０９に設定された基準となるデータサイズの範囲内に入っているか否かを判定するものである。
バッファ１１０は、データサイズ判定部１０９に入力されたヘッダ情報付きＪＰＥＧデータのデータサイズがデータサイズ判定部１０９の設定されたサイズの範囲内であった場合に、データサイズ判定部１０９から出力されるヘッダ情報付きＪＰＥＧデータを一時的に格納するものである。
伝送部１１１は、マルチプレクサ１０８から入力されたヘッダ情報付きＪＰＥＧデータ、およびバッファ１１０から入力されたヘッダ情報付きＪＰＥＧデータを伝送線路４０を介して居室親機２０に伝送するものである。この伝送部１１１は、本実施形態では、カメラ１０１が出力する垂直同期信号毎に、ヘッダ情報付きＪＰＥＧデータを伝送するようになっている。
【００２４】
居室親機２０は、伝送部２０１と、マルチプレクサ２０２と、ＪＰＥＧデコーダ２０３と、モニタ２０４と、録画制御部２０５と、記録媒体２０６と、シリアル通信部２０７と、ワイヤレスモジュール２０８とを備える。
伝送部２０１は、伝送線路４０を介してカメラ付き玄関子機１０から伝送されたヘッダ情報付きＪＰＥＧデータを含んだ信号を受信するものである。
マルチプレクサ２０２は、伝送部２０１で受信したヘッダ情報付きＪＰＥＧデータの出力先を切り替えるものであり、ヘッダ情報付きＪＰＥＧデータを出力先となるＪＰＥＧデコーダ２０３、録画制御部２０５、またはシリアル通信部２０７のいずれかに出力する。
ＪＰＥＧデコーダ２０３は、マルチプレクサ２０２から出力されるヘッダ情報付きＪＰＥＧデータを伸張し、画像データを出力するものである。
モニタ２０４は、ＪＰＥＧデコーダ２０３からの画像データを表示するものである。
録画制御部２０５は、マルチプレクサ２０２から出力されるヘッダ情報付きＪＰＥＧデータの録画制御を行うものである。
記録媒体２０６は、録画制御部２０５の制御によりヘッダ情報付きＪＰＥＧデータを格納するものである。
シリアル通信部２０７は、マルチプレクサ２０２から出力されるヘッダ情報付きＪＰＥＧデータの伝送制御を行うものである。
ワイヤレスモジュール２０８は、ワイヤレス端末３０にヘッダ情報付きＪＰＥＧデータを無線伝送するためのものである。
【００２５】
ワイヤレス端末３０は、居室親機２０から無線伝送されてきたヘッダ情報付きＪＰＥＧデータを含む信号を受信するワイヤレスモジュール３０１と、ワイヤレスモジュール３０１により受信したヘッダ情報付きＪＰＥＧデータを伸張し、デジタルビデオ信号にデコードするＪＰＥＧデコーダ３０２と、このＪＰＥＧデコーダによりデコードされたデジタルビデオ信号を表示するモニタ３０３とを備えている。
【００２６】
次に、以上のような構成のインターホン装置１の動作について、説明する。ただし、インターホン装置１の基本動作であるカメラ付き玄関子機１０から居室親機２０の呼び出し、居室親機２０によるその応答操作に伴う動作は従来と同様であるため説明を省略し、ここでは、カメラ付き玄関子機１０の呼出操作に基づきカメラ１０１から出力される信号の流れを中心に説明する。
【００２７】
カメラ付き玄関子機１０のカメラ１０１により撮像され生成されたデジタルビデオ信号Ｓ１は、プリスケーラ１０２に入力される。このデジタルビデオ信号Ｓ１は、本実施形態では６０ｆｐｓのフレームレートの画像データを出力するものとして説明する。
プリスケーラ１０２は、第１スケール値または第２スケール値に基づき、デジタルビデオ信号Ｓ１の画像サイズをスケーリングし、デジタルビデオ信号Ｓ２を出力する。具体的には、第１スケール値によるスケーリングにより第１画像サイズのデジタルビデオ信号Ｓ２が出力され、第２スケール値によるスケーリングにより第２画像サイズのデジタルビデオ信号Ｓ２が出力される。なお、第１スケール値と第２スケール値の切り替えは、タイミング生成部１０６からタイミング信号が送信される度に行われる。
出力されたデジタルビデオ信号Ｓ２は、ＪＰＥＧエンコーダ１０３に入力される。
【００２８】
ここで、本実施形態のタイミング生成部１０６は、マルチプレクサ１０８の第１の出力先である伝送部１１１に、毎秒６０コマ出力されるデジタルビデオ信号Ｓ１が１コマおきに出力されるようにタイミング信号を生成するようになっており、このタイミング信号は、上述のプリスケーラ１０２、スケーラ１０５、およびマルチプレクサ１０８に送信される。
本実施形態のスケーラ１０５は、このタイミング信号毎に圧縮率を切り替えて、その圧縮率でＪＰＥＧエンコーダ１０３による圧縮を行うようＪＰＥＧエンコーダ１０３を制御するようになっている。この圧縮は、第１画像サイズのデジタルビデオ信号は固定の第１画面用スケール値で、第２画像サイズのデジタルビデオ信号は可変の（後述する。）第２画面用スケール値で行われる。
ＪＰＥＧエンコーダ１０３から出力された圧縮画像データであるＪＰＥＧデータｄ１は、ヘッダ付与部１０７に入力される。
【００２９】
ヘッダ付与部１０７は、ＪＰＥＧエンコーダ１０３において使用された情報、例えば画像サイズ、量子化テーブルの計数、スケーリング値、あて先等の情報をヘッダとしてＪＰＥＧデータｄ１に付与し、ヘッダ情報付きＪＰＥＧデータであるＪＰＥＧデータｄ２を出力する。このＪＰＥＧデータｄ２はマルチプレクサ１０８に入力される。
【００３０】
マルチプレクサ１０８は、タイミング生成部１０６からタイミング信号が入力される度に、ヘッダ付与部１０７から受け取ったＪＰＥＧデータｄ２の出力先を切り替えるようになっており、ヘッダ付与部１０７からマルチプレクサ１０８に入力されたＪＰＥＧデータｄ２は、第１の出力先となる伝送部１１１、または第２の出力先となるデータサイズ判定部１０９のいずれかに出力される。具体的には、伝送部１１１には第１画像サイズのヘッダ情報付きＪＰＥＧデータであるＪＰＥＧデータｄ３が出力され、データサイズ判定部１０９には第２画像サイズのヘッダ情報付きＪＰＥＧデータであるＪＰＥＧデータｄ４が出力されるように切り替えられる。
これにより、マルチプレクサ１０８から第１の出力先に出力されたＪＰＥＧデータｄ３は、伝送部１１１に出力され、第２の出力先に出力されたＪＰＥＧデータｄ４は、そのまま伝送部１１１に出力されるのではなくデータサイズ判定部１０９に出力される。なお、本実施形態では、マルチプレクサ１０８から第１の出力先および第２の出力先に出力されたＪＰＥＧデータｄ３は、ともに３０ｆｐｓのフレームレートで出力されるようになっている。
【００３１】
以下、データサイズ判定部１０９の動作を図２のフローチャートに基づいて説明する。
上述のように、ヘッダ付与部１０７から出力されたＪＰＥＧデータｄ２のうち、第２画像サイズのＪＰＥＧデータは、マルチプレクサ１０８の切り替えにより、第２の出力先であるデータサイズ判定部１０９に入力される（ＳＴ５１）。
データサイズ判定部１０９は、マルチプレクサ１０８から入力されたＪＰＥＧデータｄ４のデータサイズを予め設定されたデータサイズと比較し、ＪＰＥＧデータｄ４のデータサイズが設定されたデータサイズの範囲内である場合（ＳＴ５２：Ｙｅｓ）は、このＪＰＥＧデータｄ５をバッファ１１０に出力する（ＳＴ５３）。この際、ＪＰＥＧデータｄ５は、本実施形態では３０ｆｐｓ以下のフレームレートでバッファ１１０に出力される。
一方、ＪＰＥＧデータｄ４のデータサイズが設定されたデータサイズの範囲外である場合（ＳＴ５２：Ｎｏ）は、バッファ１１０への出力は行わず、スケーラ１０５の設定変更を行い、異なる圧縮率でＪＰＥＧエンコーダ１０３によるデータ圧縮が再度実行される（ＳＴ５４）。ＪＰＥＧエンコーダ１０３から出力されたＪＰＥＧデータｄ１は、ヘッダ付与部１０７、マルチプレクサ１０８を介して再度データサイズ判定部１０９に入力され（ＳＴ５１）、データサイズ判定部１０９は、再度ＪＰＥＧデータｄ４のデータサイズと予め設定されたデータサイズとの比較を行う（ＳＴ５２）。
このようにして、ＪＰＥＧデータｄ４のデータサイズが予め設定されたデータサイズの範囲外である場合には、ＪＰＥＧデータｄ４のデータサイズが設定された範囲内のＪＰＥＧデータｄ５となるまで可変スケーリングが行われるようになっている。この可変スケーリングは、本実施形態では、画面１コマ単位で行われるようになっている。
【００３２】
マルチプレクサ１０８から出力されたＪＰＥＧデータｄ３およびバッファ１１０のＪＰＥＧデータｄ６は、伝送部１１１に入力され、伝送線路４０を介して居室親機２に送信される。
伝送部１１１は、バッファ１１０のＪＰＥＧデータｄ６を少なくとも二つに分割して居室親機２０に送信するように構成することができる。本実施形態では、ＪＰＥＧデータｄ６を三つに分割して居室親機２０に送信するようになっており、第１出力先に出力されたＪＰＥＧデータｄ３を３０ｆｐｓのフレームレートで伝送する合間に、第２の出力先に出力されたＪＰＥＧデータｄ６を三つに分割して１０ｆｐｓのフレームレートで伝送するようになっている。
具体的には、伝送部１１１は、図３に示すように、第１出力先に出力されたＪＰＥＧデータｄ３（図の（１））、第２の出力先に出力されたＪＰＥＧデータｄ６（図の（２））を三分割した一番目のＪＰＥＧデータ、第１出力先に出力されたＪＰＥＧデータｄ３（図の（１））、第２の出力先に出力されたＪＰＥＧデータｄ６（図の（２））を三分割した二番目のＪＰＥＧデータ、第１出力先に出力されたＪＰＥＧデータｄ３（図の（１））、第２の出力先に出力されたＪＰＥＧデータｄ６（図の（２））を三分割した三番目のＪＰＥＧデータ、第１出力先に出力されたＪＰＥＧデータｄ３（図の（１））、第２の出力先に出力されたＪＰＥＧデータｄ６（図の（１））を三分割した一番目のＪＰＥＧデータ・・・の順に伝送するようになっている。
このように、本実施形態の伝送部１１１は第２の出力先に出力されたＪＰＥＧデータｄ６を分割して送信するようになっているので、第２の出力先に出力されたＪＰＥＧデータｄ６の１画像あたりのデータ量を、第１出力先に出力されたＪＰＥＧデータｄ３よりも大きくすることができ、精細な画像を居室親機２に送信することができる。
【００３３】
玄関子機１０から伝送線路４０を介して居室親機２０に送信されたＪＰＥＧデータは、伝送部２０１により受信される。伝送部２０１により受信されたＪＰＥＧデータｄ７は、マルチプレクサ２０２に入力される。
マルチプレクサ２０２は、入力されたＪＰＥＧデータｄ７のヘッダ情報をもとに、伝送部２０１から受け取ったＪＰＥＧデータの出力先を切り替えるようになっており、ＪＰＥＧデータｄ７をＪＰＥＧデコーダ２０３、録画制御部２０５、シリアル通信部２０７のいずれかにＪＰＥＧデータｄ７を出力する。具体的には、第１画像サイズのＪＰＥＧデータはＪＰＥＧデコーダ２０３に出力され、第２画像サイズのＪＰＥＧデータは録画制御部２０５またはシリアル通信部２０７に出力されるようになっている。
これにより、ＪＰＥＧデータｄ７は、表示用のＪＰＥＧデータｄ８、録画用のＪＰＥＧデータｄ９、またはワイヤレス端末への伝送用のＪＰＥＧデータｄ１１のいずれかに振り分けられることとなる。
本実施形態では、表示用のＪＰＥＧデータｄ８は３０ｆｐｓのフレームレートで出力され、録画用のＪＰＥＧデータｄ９は１０ｆｐｓのフレームレートで出力され、そして伝送用のＪＰＥＧデータｄ１１は１０ｆｐｓ以下のフレームレートで出力される。
【００３４】
マルチプレクサ２０２からＪＰＥＧデコーダ２０３に入力されたＪＰＥＧデータｄ８は、ＪＰＥＧデコーダ２０３により伸張され、ＪＰＥＧデコーダ２０３から画像データｄ９が出力される。画像データｄ９はモニタ２０４に入力され、表示される。
【００３５】
マルチプレクサ２０２から録画制御部２０５に入力されたＪＰＥＧデータｄ１０は、記録媒体２０６に記録される。
【００３６】
マルチプレクサ２０２からシリアル通信部２０７に入力されたＪＰＥＧデータｄ１１は、ワイヤレスモジュール２０８からワイヤレス端末３０に無線伝送される。
居室親機２０のワイヤレスモジュール２０８からワイヤレス端末３０のワイヤレスモジュール３０１に無線伝送されたＪＰＥＧデータｄ１２は、ＪＰＥＧデコーダ３０２により伸張され、伸張された画像データｄ１３はモニタ３０３に入力され、表示される。
【００３７】
以上のような本実施形態のインターホン装置１によれば、二種類の画像サイズの圧縮画像データをカメラ付き玄関子機１０で生成するようになっているので、圧縮画像データを再度加工するために必要なバッファやエンコーダなどの回路を居室親機に搭載する必要がなくなり、居室親機２０の負担を軽減することができる。
また、スケーラ１０５およびデータサイズ判定部１０９により第２画像サイズのデータサイズを所定のデータサイズ以下にして居室親機２０に送信することができるため、第２画像サイズのデータをワイヤレス端末３０に伝送するための伝送用データとして使用すれば、データサイズ判定部１０９に予め設定されるデータサイズをワイヤレス端末３０に送信可能な最大値に設定しておくことで、居室親機２０において伝送用データを生成すべく再度データ圧縮する必要がなくなり、またワイヤレス端末３０において表示される画質の劣化を最小限に抑えることができる。また、この第２画像データを居室親機２０における録画用データとして使用すれば、メモリ容量を有効に利用できる。
【００３８】
なお、本実施形態のインターホン装置１のカメラ付き子機１０のプリスケーラ１０２は、第１画像サイズおよび第２画像サイズの二種類の画像サイズに変更するものとして記載したが、これに限られず、使用する用途の種類に応じた数の画像サイズに変更するようにすべく、第１画像サイズおよび少なくとも一つ以上の第Ｎ画像サイズ（Ｎは２以上の整数）に変更するように構成することができる。
このように構成される場合、第Ｎ画像サイズのデータサイズをそれぞれ所定のサイズ以下とするため、カメラ付き子機１０のデータサイズ判定部１０９には、基準となるデータサイズがＮ−１種類設定されていてもよい。
例えば、プリスケーラ１０２により、第１画像サイズ、第２画像サイズ、および第３画像サイズの三種類の画像サイズに変更されるように構成される場合、データサイズ判定部１０９には、基準となるデータサイズとして、第１データサイズおよび第２データサイズの二種類が設定される。この場合、データサイズ判定部１０９は、マルチプレクサ１０８から入力されたＪＰＥＧデータｄ４のヘッダにより、そのＪＰＥＧデータｄ４のデータサイズを第１データサイズまたは第２データサイズのいずれかと比較し、ＪＰＥＧデータｄ４のデータサイズが設定された第１データサイズまたは第２データサイズの範囲内である場合は、このＪＰＥＧデータをバッファ１１０に出力する。一方、ＪＰＥＧデータｄ４のデータサイズが設定されたデータサイズの範囲外である場合には、上述したように、ＪＰＥＧデータｄ４のデータサイズが設定された範囲内のＪＰＥＧデータｄ４となるまで可変スケーリングが行われる。
【００３９】
また、本実施形態のインターホン装置１の居室親機２０のマルチプレクサ２０２は、伝送部２０１からのＪＰＥＧデータｄ７を、ＪＰＥＧデコーダ２０３、録画制御部２０５、またはシリアル通信部２０７のいずれかに出力するものとして記載したが、これに限られず、さらに他の一つ以上の出力先に出力するようになっていてもよい。例えば、マルチプレクサ２０２からイーサネット（登録商標）にもＪＰＥＧデータｄ７を振り分けるように構成することができる。イーサネット（登録商標）に振り分けられたＪＰＥＧデータは、例えばハブを介してサーバに入力されるようにしてもよい。
また、本実施形態では、圧縮画像データとしてＪＰＥＧデータが生成される例について説明したが、これに限られず、他の形式のデータであってもよい。
【図面の簡単な説明】
【００４０】
【図１】本実施形態のインターホン装置の全体構成を示す図。
【図２】本実施形態のカメラ付き子機のデータサイズ判定部の動作を示すフローチャート。
【図３】本実施形態のカメラ付き子機の伝送部から伝送されるＪＰＥＧデータの順序を示す図。
【図４】従来のインターホン装置の全体構成を示す図。
【符号の説明】
【００４１】
１，６１・・インターホン装置、１０，７０・・カメラ付き玄関子機、２０，８０・・居室親機、３０，９０・・ワイヤレス端末、４０，１００・・伝送線路、１０１，７０１・・カメラ、１０２・・プリスケーラ（画像サイズ変更部）、１０３，７０２，８０４・・ＪＰＥＧエンコーダ（データ圧縮部）、１０４・・量子化テーブル、１０５・・スケーラ（圧縮率制御部）、１０６・・タイミング生成部、１０７・・ヘッダ付与部、１０８，２０２・・マルチプレクサ、１０９・・データサイズ判定部、１１０・・バッファ、１１１，２０１・・伝送部（画像データ送信部）、２０３，３０２，８０２・・ＪＰＥＧデコーダ、２０４，３０３，８０３，９０３・・モニタ、２０５・・録画制御部、２０６・・記録媒体、２０７・・シリアル通信部、２０８，３０１，８０５，９０１・・ワイヤレスモジュール。
【図１】
2010154248.tif 000003
【図２】
2010154248.tif 000004
【図３】
2010154248.tif 000005
【図４】
2010154248.tif 000006